(57)【要約】      （修正有）【課題】シート先端を良好に突き当て面まで案内することができるようになり、シートの積載性が向上するシート収納部の提供。【解決手段】排出手段によって排出されたシートＳを収納するシート収納装置において、排出されるシートＳを受ける受け部材１２と、前記受け部材１２によって支えられているシートＳの先端を係止する第１の突き当て面と、前記排出手段と前記第１の突き当て面の間において、前記受け部材１２によって支えられているシートＳの先端を係止する係止位置と、係止しない退避位置とに移動可能な第２の突き当て面１９と、前記第２の突き当て面が係止位置にあるとき、排出されるシートＳの前記受け部材１２と対面する側の面を案内することによってシートＳの先端を前記第２の突き当て面１９に案内する案内面１８とを有する。【選択図】図４
2010215367.tif 000002
【特許請求の範囲】
【請求項１】
排出手段によって排出されたシートを収納するシート収納装置において、
排出されるシートを受ける受け部材と、
前記受け部材によって支えられているシートの先端を係止する第１の突き当て面と、
前記排出手段と前記第１の突き当て面の間において、前記受け部材によって支えられているシートの先端を係止する係止位置と、係止しない退避位置とに移動可能な第２の突き当て面と、
前記第２の突き当て面が前記係止位置にあるとき、排出されるシートの前記受け部材と対面する側の面を案内することによって、シートの先端を前記第２の突き当て面に案内する案内面と、
を有することを特徴とするシート収納装置。
【請求項２】
前記第２の突き当て面が前記退避位置に位置するとき、前記案内面はシートを案内しない位置に退避する請求項１に記載のシート収納装置。
【請求項３】
前記案内面と対向し、シートの前記案内面とは反対側の面を案内する第２の案内面を有し、前記第２の突き当て面が退避位置に位置するとき、前記第２の案内面はシートを案内しない位置に退避する請求項２に記載のシート収納装置。
【請求項４】
シートは前記第１または第２の突き当て面に係止された状態で前記排出手段によって排出されることによって、シートの後端が前記受け部材の、シートを受ける面とは反対側に垂れ下がった状態で前記受け部材に保持される請求項１から３のいずれかに記載のシート収納装置。
【請求項５】
前記受け部材と対向する位置に配置され、シートの前記受け部材とは反対側の面を案内するガイド部材を有し、前記ト受け部材は前記排出手段の下方の収納位置に移動可能に支持され、前記ガイド部材は、前記収納位置に移動する前記ト受け部材に押されて移動する請求項１から４のいずれかに記載のシート収納装置。
【請求項６】
ロール状シートの巻かれていたときに外側であった面に記録を行う記録装置において、
記録済みシートが排出されるシート排出口と、
前記シート排出口の下方に配置され、排出されたシートの記録された面を保持する受け部材と、
前記受け部材によって保持されているシートの下側の端部を規制する第１の突き当て面と、
前記排出口と前記第１の突き当て面の間においシートの下側の端部を規制する第２の突き当て面と、シートを前記第２の突き当て面に案内する案内面とを有する突き当て部材と、を有し、
前記突き当て部材は、前記第２の突き当て面がシートの端部を規制し、前記案内面がシートを案内する規制位置と、前記第２の突き当て面および前記案内面がシートと接触しない退避位置とに移動可能に支持されていることを特徴とする記録装置。
【請求項７】
前記突き当て部材は、シートの幅方向に複数配置したことを特徴とする請求項６に記載の記録装置。
【請求項８】
前記複数の突き当て部材は連結部材により連結され、前記規制位置と前記退避位置に一体的に移動することを特徴とする請求項７に記載の記録装置。
【請求項９】
前記連結部材はシートの幅方向に延びる軸部材で、前記複数の突き当て部材は前記軸部材を中心に回動することを特徴とする請求項８に記載の記録装置。
【請求項１０】
前記受け部材と対向する位置に配置され、シートの前記シート受け部材とは反対側の面を案内するガイド部材を有し、前記シート受け部材は前記排出口の下方の収納位置に移動可能に支持され、前記ガイド部材は、前記収納位置に移動する前記シート受け部材に押されて退避する請求項６から９のいずれかに記載のシート収納装置。
【請求項１１】
前記ガイド部材は回動可能に支持され、バネ付勢によって規制部材に当接している請求項１０に記載の記録装置。
【請求項１２】
前記受け部材は棒状部材で支持された布を有し、前記棒状部材は、前記記録装置の底部近傍で回動可能に支持された保持部材によって支持され、前記シート受け部材を収納位置に移動させるとき前記シート受け部材は前記バネ付勢に抗して前記ガイド部材を退避させることを特徴とする請求項１１に記載の記録装置。
【請求項１３】
ロール状シートの巻かれていたときに外側であった面に記録を行う記録装置において、
記録済みシートが排出されるシート排出口と、
前記シート排出口の下方に配置され、排出されたシートの記録された面を保持する受け部材と、
シートの下側の端部を規制する突き当て面と、シートを前記突き当て面に案内する案内面とを有する突き当て部材と、を有し、
前記突き当て部材は、前記突き当て面がシートの端部を規制し、前記案内面がシートを案内する規制位置と、前記突き当て面および前記案内面がシートと接触しない退避位置とに移動可能に支持されていることを特徴とする記録装置。
【発明の詳細な説明】
【技術分野】
【０００１】
本発明は、記録装置等から排出されたシートを収納するためのシート収納装置に関し、特に、Ａ０、Ａ１など大判サイズのシートの積載に好適なシート収納装置及び、これを用いる記録装置に関する。
【背景技術】
【０００２】
シート収納装置として特許文献１に記載されたものがある。特許文献１のシート収納装置では布又は薄い樹脂材料で成形されたシート受け面が設けられ、該シート受け面の上にシートを積載する。
【０００３】
ロール状シートは、丸く反り曲がる癖（以下、カール癖）がある。このカール癖のためにシート受け面から浮き上がるシートの先端をガイドするために、シート受け面に対向する位置に帯状のガイド部材が設けられていた。さらに、複数サイズのシートを積載するために、帯状のガイド部材には、シート前端を制止するための突き当て部材が、帯長さ方向へ摺動可能に設けられていた。
【０００４】
シート収納装置にシートを積載する場合は、まず、シート前端が、記録装置の下方に装備されたシート収納装置に向かって垂下する。そして、シート前端は、突き当て部材に突き当ったところで制止する。この状態のシートは、排出ガイド、突き当て部材、及び、シート受け面で支持されており、シート前端と裁断位置の中間辺りに所定のループが形成されている。ここでシートの後端を裁断すると、ループを形成することにより生じたシートの反力や慣性力が、シート後端をシート収納部上端から下端方向へ落下させるように作用し、シート後端はシート収納部から外部に垂れ下がったところで保持される。これを繰り返すことにより、複数枚のシートを重ねて積載していた。さらに、突き当て部材の位置を変更することにより、異なるサイズのシートも積載することができる。
【先行技術文献】
【特許文献】
【０００５】
【特許文献１】特開２００７−１４５４５９号公報
【発明の概要】
【発明が解決しようとする課題】
【０００６】
シートの積載を安定的に行うためには、シート前端をシート受け面と、帯状のガイド部材で案内し、突き当て部材で確実に制止する必要がある。これができないと、シートの積載に必要な所定のループを形成することができなくなり、シート後端をシート収納部から外部に垂れ下げるために必要な反力や慣性力を作用させることができない。これが、紙詰まり、積載不良等の原因となってしまう。
【０００７】
従来技術（図６参照）では、布又は薄い樹脂材料により成形されたシート受け部材５１と、シート受け部材に対向して帯状のガイド部材５２が設けられ、これらによりシート前端を突き当て部材５３まで案内していた。突き当て部材５３は、帯状のガイド部材側が、シート受け部材側より高い緩やかな斜面で構成されている。シート受け部材５１及び、帯状のガイド部材５２は、薄い材料であるため加工精度にばらつきがある。さらに、帯状のガイド部材５２は、カール癖による反力が大きいシートを収納すると、シートの反力により位置ズレを起こす場合がある。さらに、帯状のガイド部材５２には、突き当て部材５３が摺動可能に設けられており、突き当て部材５３を摺動させることによっても位置ズレを起してしまう。
【０００８】
以上により、シート受け部材５１と、帯状のガイド部材５２の取り付け位置精度のばらつきが大きくなり、シート受け部材５１と突き当て部材５３との間に隙間５５が生じてしまう。
【０００９】
積載するシートは、ロール状シートであり、必ずカール癖がある。カール癖の量（以下、カール量）は、１本のロールであっても巻きの外側（紙管から遠いところ）、巻きの内側（紙管に近いところ）で大きく異なる。
【００１０】
このようなロール状シートを所定の斜面を持った突き当て部材５３で制止する場合、上記のように、突き当て部材５３とシート受け部材５１との間に隙間５５があると、シート前端が隙間に侵入することがある。
【００１１】
具体的には、図６（Ａ）に示すように、ロール状シートＳにはカール癖があるため、多少の隙間５５があってもシート前端は突き当て部材５３に接触する。しかし、従来技術の突き当て部材５３は隙間側が低い傾斜ができるのでシート前端を拾いきれず隙間５５に侵入させる原因となっていた。これでは、シートの積載を安定して行うことができない。
【００１２】
また、シート前端を突き当て部材５３で制止することができても、カール量が大きい場合に、シートの中央付近に所定のループを形成する過程で、図６（Ｂ）に示すようにループ５７がシート受け部材５１との隙間５５に入り込んでしまう。そして隙間５５でループ５７が成長してしまう。こうなると、シート収納部へ積載されたシートの整列性が損なわれ、収納品位が悪くなる。さらに、シートの収納状態が安定していないため、シートが収納部から溢れ出し、印字面が床等に接触してキズが付く可能性がある。
【００１３】
本発明は、上述の課題の認識に基づいてなされたものであり、従来の装置のさらなる改良を目的とする。本発明のより具体的な目的は、確実にシート先端を突き当て面まで案内でき、シートの積載性を向上させたシート収納装置やこれを有する記録装置を提供することである。
【課題を解決するための手段】
【００１４】
上記目的を達成する本発明の構成は、
排出手段によって排出されたシートを収納するシート収納装置において、排出されるシートを受ける受け部材と、前記受け部材によって支えられているシートの先端を係止する第１の突き当て面と、前記排出手段と前記第１の突き当て面の間において、前記受け部材によって支えられているシートの先端を係止する係止位置と、係止しない退避位置とに移動可能な第２の突き当て面と、前記第２の突き当て面が係止位置にあるとき、排出されるシートの前記受け部材と対面する側の面を案内することによってシートの先端を前記第２の突き当て面に案内する案内面と、を有することを特徴とするシート収納装置である。
【発明の効果】
【００１５】
本発明によれば、シート先端を良好に突き当て面まで案内することができるようになり、シートの積載性が向上する。
【図面の簡単な説明】
【００１６】
【図１】突き当て部材が収納された状態を示す図。
【図２】第サイズのシートがシート収納装置に積載されているところを示す図。
【図３】突き当て部材が開いた状態を示す図。
【図４】小サイズのシートがシート収納装置に積載されているところを示す図。
【図５】シート収納装置を収納した状態を示す図。
【図６】従来のシート収納装置を示す図。
【発明を実施するための形態】
【００１７】
以下、図面を参照して本発明の実施形態を説明する。
【００１８】
図１において、２００は大判の記録シートに記録を行うインクジェット式の記録装置である。３００は記録装置２００を保持するスタンド、１００は記録装置２００に装備されたシート収納装置である。
【００１９】
記録装置２００は、連続した被記録材であるロールシートに画像を記録する装置であり、その内部には、記録前のロール状シート１が、ロール状シート保持部材２に保持されている。シートの材質は、紙、プラスチックシート、写真調印画紙、皮革等、画像を記録できるものであれば種々のものを使用することができる。
【００２０】
ロール状シート１に記録を行う場合は、給送ローラ対３を回転して搬送ローラ４へシートを送り込み、さらに、搬送ローラ対４を回転して印字領域であるプラテン５まで搬送する。プラテン５で支持されたシートに記録ヘッド６からインクを吐出して画像を記録する。
【００２１】
記録手段である記録ヘッド６は、画像情報に基づいて被記録材に画像（文字や記号を含む）を記録するものであり、インクジェット式の場合は、画像情報に基づいて記録ヘッドの複数の吐出口からシートへインクを吐出することによって記録が行われる。
【００２２】
搬送ローラ対４はシートを間欠的に搬送する。記録ヘッド６はキヤリッジに保持され、キャリッジはシートの搬送方向と直交する方向に往復移動する。搬送ローラ対４によるシート搬送が停止しているときに、記録ヘッド６はキャリッジによってシート幅方向に走査し、同時にインクを吐出して記録を行う。記録ヘッド６はロール状のシートの巻かれていたときに外側であった面に記録を行う。
【００２３】
記録ヘッド６による所定の記録幅分の記録と、搬送ローラ対４による所定距離ずつの搬送が交互に行われ、記録がなされたシートは少しずつ、シート排出口７から装置外部へ排出される。さらに、一つの画像の記録が終了したら排出口７の内部に配されたカッタ９によりシートＳの画像後端に相当する部位が裁断されて排出口７から送出される。排出口７の近傍には排出されるシートを案内する排紙ガイド８が設けられている。
【００２４】
１００は搬送ローラ対４、排出ガイド８などを備えた排出手段によって排出される記録済みシートＳを収納保持するためのシート収納装置である。シート収納装置１００は記録装置２００の排出ガイド８の下方に配され、スタンド３００に連結されることにより支持されている。
【００２５】
シート収納装置はシートＳを積載保持するシート受け面を形成するシート受け部材１２が具備されている。シート受け部材１２は布または樹脂製のシートであって、一端部がシート案内部材１０のシート突き当て面１５（第１の突き当て面）近傍に固定され、他端はステイ２４によって両端を支持された軸２３に保持されている。さらに、ステイ２４に両端を保持された棒状部材１１によって他端部近傍が支持され、所定のテンションを持って保持されている。
【００２６】
シート収納装置１００には、シート受け部材１２に対向し、排出ガイド８の端部から垂下するシートＳの前端を、ガイドするシート案内部材１０が設けられている。
【００２７】
シート案内部材１０はシート幅方向に対して複数設けられ、シートの両側端部近傍を案内するように排出されるシートサイズに対応した所定の位置に設けられている。本発明においては、シート収納装置で積載するシートサイズは、Ａ１（２４インチ×３６インチ）、及びＡ０（３６インチ×４８インチ）である。このため、シート案内部材は、シートの基準側端部を規制する基準側案内部材、Ａ１の非基準側端部を規制するＡ１非基準側端部案内部材、Ａ０の非基準側端部を規制するＡ０非基準側端部案内部材の３箇所が設けられている。尚、本発明においては、シート案内部材の数は、３箇所に限定されるものではなく、積載するシートサイズに応じて、複数に設ければよい。
【００２８】
シート案内部材１０とシート受け部材１２との間隔は、上方の排出口７に近くでは広く、下方のシート案内部材１０のシート突き当て面１５近傍で狭くなるように構成されている。
【００２９】
シート案内部材１０には、シートＳの端部を係止する突き当て部材１６が、シート案内部材に収容できるように複数配置されている。具体的には３箇所に設けられている。さらに、３箇所に設けた突き当て部材は、軸部材である棒状部材１７で連結されて、棒状部材１７を軸として一体的に回動することができる。シート突き当て部材１６は棒状部材１７を中心に回動することにより、シート収納装置１００に積載するシートサイズに応じた２箇所の位置を移動可能である。大サイズのシートを積載する場合は、シート案内部材１０の内側に退避した退避位置で使用し（図１）、小サイズのシートを収納する場合は、シート受け部材１２とシート案内部材１０の間に突出した係止位置で使用する（図３）。
【００３０】
本実施形態では、大サイズのシートが、Ａ０または３６インチ×４８インチ、小サイズのシートが、Ａ１または２４インチ×３６インチである。尚、本発明において、積載可能なシートサイズは上記に限定されるものではなく、シート案内部材１０及び、シート受け部材１２の長さ、形状や、シート突き当て部材１６の取付け位置等を変更することにより、上記以外のシートサイズに対応することもできる。
【００３１】
ここで、シート突き当て部材１６について、詳しく説明する。シート突き当て部材１６は、小サイズのシートを積載する場合にのみ図３に示すように、開いて使用する。シート突き当て部材１６には、シートＳの先端を突き当て面１９（第２の突き当て面）まで案内するシート案内面１８と突き当て面１９が、凡そ直交するように設けられている。シート案内面１８はシート受け部材１２と対面する側のシートＳの面を案内する。さらに、シート突き当て部材１６には、シート案内面１８と対向するようにシート前端のカールを押えるカール押え面２２（第２の案内面）が、突き当て面１９と交差するように設けられている。突き当て面１９と、シート案内面１８及びカール押え面２２は、突き当て部材１６を開いた場合のみ、シート案内部材１０から飛び出している。突き当て部材１６を開いたとき、シート案内面１８のシート受け部材１２側の端部は、シート案内部材１０側の端部より高くなりシート受け面１２側の端部から突き当て面１９に向けて下方にシートを案内するように構成されている。
【００３２】
次に上記構成からなるシート収納装置１００にシートＳが積載される時のシートＳの動作を説明する。まず、図１、図２を参照して、積載するシートサイズが、大サイズであるＡ０または３６インチ×４８インチの場合を説明する。この場合は、シート突き当て部材１６がシート案内部材１０に収納された状態である。図１に示すように、シートＳの前端は、排出口７から送出され排出ガイド８に沿って案内された後、排出ガイド８端部からシート収納装置１００に向けて垂下していく。さらに、シートＳの前端はシート受け部材１２の受け面に接触しつつシート案内部材１０に沿いながら垂下を続け、先端がシート案内部材１０に設けた突き当て面１５でによって制止される。その後、図２（Ａ）に示すように、シートＳは軸２３、棒状部材１１及びシート受け面１２に支えられながら所定長さになるまで搬送され、シートの剛性、慣性力により棒状部材１１を支点として矢印Ａの方向に弛み、ループ２１が形成される。所定のシート領域に画像形成を終えると、シートＳは記録装置２００内のカッタ９により所定サイズに切断される。切断されたシートＳの後端は、図２（Ｂ）に示すように、矢印Ｂ方向に落下し、棒状部材１１を支点として反転して垂れ下がる。さらに、継続して記録を行う場合は、図１、図２（Ａ）、図２（Ｂ）の動作を繰り返し、先に記録したシートを下にして、順番に重なって積載される。
【００３３】
次に、図３、図４を参照して、小サイズであるＡ１または２４インチ×３６インチのシートに記録を行い、積載する場合について説明する。
【００３４】
まず、シート収納装置１００に積載する小サイズシートに合わせて、シート突き当て部材１６を軸１７を中心に回動させて、シート受け部材１２とシート案内部材１０の間の規制位置に位置するように出す。これにより、シート突き当て部材１６に一体成形されたシート案内面１８、シート突き当て面１９及びカール押え面２２が突出位置へ移動する。この時、シート案内面１８の先端部分が、シート受け部材１２のシート受け面に当接もしくは、近接した位置となる。本実施形態では近接した状態とは、シート受け面とシート案内面１８先端部の隙間が１５ｍｍ以下である場合が好ましい。これは、ロールの巻き外等でカール量の小さいシートであっても隙間に入らないようにするためである。尚、本発明においては、この隙間は１５ｍｍ以下に限定さるものではなく、シート先端のカールによってシートが隙間に入らないのであれば、１５ｍｍ以上でも構わない。
【００３５】
次に、シートＳが積載される時のシートＳの動作を説明する。図３に示すように、シートＳの前端は、排出口７から送出され排出ガイド８に沿って案内された後、排出ガイド８端部からシート収納装置１００に向けて垂下していく。さらに、シートＳの下側の先端はシート案内部材１０に沿いながら垂下を続け、シート突き当て部材１６に設けたシート案内面１８に案内され、先端が突き当て面１９に突き当たったところで係止される。その後、図４（Ａ）に示すように、シートＳは、所定の長さになるまで搬送され、シートＳの剛性、慣性力により矢印Ａの方向に弛み、棒状部材１１及び、シート受け面１２を支えとしてループ２１が形成される。所定のシート領域に画像形成を終えると、シートＳは、記録装置２００内のカッタ９により所定サイズに切断される。切断されたシートＳの後端は、図４（Ｂ）に示すように矢印Ｂ方向に落下し、棒状部材１１を支点として反転して垂れ下る。さらに、継続して記録を行う場合は、図３、図４（Ａ）、図４（Ｂ）の動作を繰り返し、先に記録したシートを下にして、順番に重なって積載される。
【００３６】
シートＳはロール状シートであるためカール癖がある。さらに、カール量もロールの巻き外・内側等、ロールの状態で大きく異なる。このようにカール量が大きく異なるシートＳを突き当て面１９に確実に突き当て保持するために、本実施形態では、シート突き当て部材１６に、カール押え面２２をシート案内面１８に対向するように設けた。カール押え面２２は、シートのシート案内面１８によって案内される面とは反対側の面を案内する。これにより、突き当て面１９に突き当ったカール癖のあるシート前端は、カール押え面２２とシート案内面１８で挟み込まれ、突き当て面１９から外れ難くなる。
【００３７】
以上のように、本実施形態によれば、収納するシートサイズにより、シート突き当て部材１６を開閉して使用することにより、少なくとも２サイズのシートを安定的に多数枚収納することができる。
【００３８】
さらに、シート収納装置１００は、使用しない場合は、設置スペースを小さくできるように、収納できる構造となっている。この構造について図３、図５を参照して説明する。まず、図３を参照して、シート収納装置１００を使用する場合を説明する。シート収納装置１００を使用する場合は、記録装置２００の底部近傍のスタンド３００にヒンジ２４Ａを中心に揺動可能に支持されたステイ２４を排出口７から遠ざかる方向に引き出す。シート受け部材１２、棒状部材１１が記録装置２００の排出ガイド８より排出方向に突き出した位置にある。棒状部材１３はステイ２４に取り付けられている支持アーム２４ｂの先端の溝２４ｃに遊嵌された状態で保持されている。
【００３９】
棒状部材１１は、棒状部材２３より高い位置にある。また、シート案内部材１０の上部には、ヒンジ２５ａに回動可能に支持されたガイド部材２５が配置されている。ガイド部材２５は、シート収納装置を使用している場合は、直立した位置にある。ガイド部材２５はヒンジばね２５ｂによってヒンジ２５ａを中心に反時計回りに回動する方向に付勢されており、規制部材２５ｃに当接することよって図３に示すほぼ直立した位置に位置記載されている。
【００４０】
次に、図５を参照して、シート収納装置１００を収納した場合を説明する。図５はステイ２４をヒンジ２４ａを中心にシート排出方向と反対の方向に回動させ、シート収納装置１００を収納位置に収納した状態を示している。シート受け面１２、棒状部材１１、棒状部材２３は記録装置の設置領域内側で排出ガイド８の先端８ａよりも内側に位置する。このとき棒状部材１１は板バネであるバネ部材２５ｂの付勢力に抗してガイド部材２５を押し、ガイド部材２５は軸２５ａを中心に時計方向に回動し、水平位置まで退避する。
【００４１】
以上により、シート収納装置１００は収納され、記録装置２００の設置領域内に収めることができる。
【００４２】
上記実施形態において、突き当て部材１６に、シート案内面と対向するようにシート前端のカール押え面２２を設けた。これにより、突き当て面に突き当ったシート前端は、シート案内面と、カール押え面で挟まれる。カール癖のあるシートには反力が発生し、突き当面から外れ易い。しかしながら、シート案内面とカール押え面で挟むことにより、シートの反力を規制し、突き当て面から外れることを防止できる。以上により、シート積載時のシート前端の挙動を安定させることができる。
【００４３】
請求項３、４、５によれば、突き当て部材は、複数設け連結部材で結合し回動できるようにした。以上により、突き当て部材の位置を切替える場合において、突き当て部材の同時操作が可能となる。さらに、切替えたい位置への移動  及び  位置合わせが容易になり操作性が向上する。
【００４４】
請求項６、７、８によれば、剛性のあるシート案内部材の上部に、バネ付勢されたガイド部材を設け、さらに、布と棒状部材で構成されたシート受け面は、支持部材で回動可能に支持した。シート収納装置を使用する場合は、シート受け面が記録装置から突き出して、ガイド部材は直立した位置にある。一方、シート収納装置を使用しない場合は、シート受け面が記録装置の設置領域内に退避し、同時にシート受け面がガイド部材を押し込み退避位置まで移動する。以上により、シート収納装置を使用しない場合の設置領域を小さくすることができる。
【符号の説明】
【００４５】
１  ロール状シート
６  記録ヘッド
７  排出口
８  排出ガイド
１１  棒状部材
１２  シート受け部材
１３  棒状部材
１５  シート突き当て面（第１の突き当て面）
１６  突き当て部材
１７  棒状部材
１８  シート案内面
１９  シート突き当て面（第２の突き当て面）
２０  ガイド部材
１００  シート収納装置
２００  記録装置
Ｓ  シート
【図１】
2010215367.tif 000003
【図２】
2010215367.tif 000004
【図３】
2010215367.tif 000005
【図４】
2010215367.tif 000006
【図５】
2010215367.tif 000007
【図６】
2010215367.tif 000008